(57)【要約】【課題】検者が各視標に対応する検査の種類及びその内容をそれぞれ正確に記憶していない場合でも、実行する検査内容を検者に的確に伝えることができる検眼装置を提供する。【解決手段】操作部２２の操作により選択された視標１１に対応する検査内容を被検者１２に説明する旨の指示を受けたとき、選択された視標１１に結び付けられた検査データ３０をメモリ部２６から抽出し、抽出した検査データ３０の検査内容を示す画像３０ａを表示画面１５に表示する旨の制御信号を視標呈示部１３に出力する。【選択図】図６
2009072285.tif 000002
【特許請求の範囲】
【請求項１】
被検眼に呈示する各種の視標が表示される視標呈示部と、前記各視標を選択すべく操作される操作部と、前記各視標のそれぞれに対応する検査内容を示す複数の検査データがそれぞれ対応する前記各視標に結び付けられて記憶されたメモリ部と、前記操作部の操作に基づいて前記視標呈示部の作動を制御する制御部とを備え、該制御部は、前記操作部の操作により選択された前記視標に対応する前記検査内容を被検者に説明する旨の指示を受けたとき、選択された前記視標に結び付けられた前記検査データを前記メモリ部から抽出し、抽出した前記検査データの前記検査内容を示す画像を前記視標呈示部に表示する旨の制御信号を前記視標呈示部に出力することを特徴とする検眼装置。    
【請求項２】
前記メモリ部は外部記憶装置に設けられており、前記制御部は、前記検査データを前記外部記憶装置から直接又はネットワークを介して抽出することを特徴とする請求項１に記載の検眼装置。
【請求項３】
前記視標呈示部は、前記視標が表示される視標モードと前記検査内容が表示される検査内容モードとが切り替え可能であり、前記制御部は、前記視標呈示部を前記検査内容モードにおいた状態で前記画像を前記視標呈示部に表示させることを特徴とする請求項１又は２に記載の検眼装置。
【請求項４】
前記視標呈示部に表示される前記検査内容を示す前記画像は動画像であることを特徴とする請求項１乃至３のいずれか一項に記載の検眼装置。
【請求項５】
音声を出力する音声出力手段を更に備え、前記メモリ部には、前記各視標のそれぞれに対応する前記検査内容を示す複数の音声データがそれぞれ対応する前記各視標に結び付けられて記憶されており、前記制御部は、前記操作部の操作により選択された前記視標に対応する前記検査内容を被検者に説明する旨の指示を受けたとき、選択された前記視標に結び付けられた前記音声データを前記メモリ部から抽出し、抽出した前記音声データが示す前記検査内容を音声出力する旨の制御信号を前記音声出力手段に出力することを特徴とする請求項１乃至４のいずれか一項に記載の検眼装置。
【請求項６】
被検眼に呈示する各種の視標が表示される視標呈示部と、前記各視標を選択すべく操作される操作部と、前記各視標のそれぞれに対応する検査内容を示す複数の音声データがそれぞれ対応する前記各視標に結び付けられて記憶されたメモリ部と、前記音声データの音声を出力するための音声出力手段と、前記操作部の操作に基づいて前記視標呈示部及び前記音声出力手段の作動を制御する制御部とを備え、前記制御部は、前記操作部の操作により選択された前記視標に対応する前記検査内容を被検者に説明する旨の指示を受けたとき、選択された前記視標に結び付けられた前記音声データを前記メモリ部から抽出し、抽出した前記音声データの前記検査内容を音声で出力する旨の制御信号を前記音声出力手段に出力することを特徴とする検眼装置。
【発明の詳細な説明】
【技術分野】
【０００１】
本発明は、被検眼の視機能を検査するための検眼装置に関する。
【背景技術】
【０００２】
従来、被検者の各眼の視機能を被検者の応答に基づいて検査する検眼装置が知られている（例えば、特許文献１参照。）。このような検眼装置は、各種の視標を被検眼に呈示するための視標呈示部と、被検眼に呈示する視標を選択すべく操作され、視標呈示部の作動を制御する制御装置とを備える。各視標には、該各視標を用いて実行される検査の種類が視標の種類毎にそれぞれ設定されている。
【０００３】
被検眼の視機能を検査する際、検者は、先ず、実行する検査の種類に対応した種類の視標を制御装置の操作により選択する。これにより、視標呈示部には、選択された視標が制御装置の制御下で表示される。次に、検者は、視標呈示部に表示された視標を被検者に見させ、その見え具合を被検者に質問し、被検者からの応答に基づいて被検眼の視機能を判定する。
【特許文献１】特開２００２−１４３０９２号公報
【発明の開示】
【発明が解決しようとする課題】
【０００４】
ところで、視標の種類毎にそれぞれ実行される検査の種類が異なることから、検者は、各視標の種類と検査の種類及びその内容とを正確に対応させて記憶しておく必要がある。
【０００５】
しかしながら、特に検者の熟練度が低く、検者が各視標に対応する検査の種類及びその内容をそれぞれ正確に記憶していない場合には、検者は、例えば、実行する検査がどのような内容の検査であるのかの説明を被検者から求められたとき、実行される検査内容がどのような内容であるのかを被検者に的確に説明することができず、被検者に不安感を与えてしまう虞がある。
【０００６】
そこで、本発明の目的は、検者が各視標に対応する検査の種類及びその内容をそれぞれ正確に記憶していない場合でも、実行する検査内容を検者に的確に伝えることができる検眼装置を提供することにある。
【課題を解決するための手段】
【０００７】
上記課題を解決するために、請求項１に記載の発明は、被検眼に呈示する各種の視標が表示される視標呈示部と、前記各視標を選択すべく操作される操作部と、前記各視標のそれぞれに対応する検査内容を示す複数の検査データがそれぞれ対応する前記各視標に結び付けられて記憶されたメモリ部と、前記操作部の操作に基づいて前記視標呈示部の作動を制御する制御部とを備え、該制御部は、前記操作部の操作により選択された前記視標に対応する前記検査内容を被検者に説明する旨の指示を受けたとき、選択された前記視標に結び付けられた前記検査データを前記メモリ部から抽出し、抽出した前記検査データの前記検査内容を示す画像を前記視標呈示部に表示する旨の制御信号を前記視標呈示部に出力することを特徴とする。
【０００８】
請求項２に記載の発明は、請求項１に記載の発明において、前記メモリ部は外部記憶装置に設けられており、前記制御部は、前記検査データを前記外部記憶装置から直接又はネットワークを介して抽出することを特徴とする。
【０００９】
請求項３に記載の発明は、請求項１又は２に記載の発明において、前記視標呈示部は、前記視標が表示される視標モードと前記検査内容が表示される検査内容モードとが切り替え可能であり、前記制御部は、前記視標呈示部を前記検査内容モードにおいた状態で前記画像を前記視標呈示部に表示させることを特徴とする。
【００１０】
請求項４に記載の発明によれば、請求項１乃至３のいずれか一項に記載の発明において、前記視標呈示部に表示される前記検査内容を示す前記画像は動画像であることを特徴とする。
【００１１】
請求項５に記載の発明は、請求項１乃至４のいずれか一項に記載の発明において、音声を出力する音声出力手段を更に備え、前記メモリ部には、前記各視標のそれぞれに対応する前記検査内容を示す複数の音声データがそれぞれ対応する前記各視標に結び付けられて記憶されており、前記制御部は、前記操作部の操作により選択された前記視標に対応する前記検査内容を被検者に説明する旨の指示を受けたとき、選択された前記視標に結び付けられた前記音声データを前記メモリ部から抽出し、抽出した前記音声データが示す前記検査内容を音声出力する旨の制御信号を前記音声出力手段に出力することを特徴とする。
【００１２】
請求項６に記載の発明は、被検眼に呈示する各種の視標が表示される視標呈示部と、前記各視標を選択すべく操作される操作部と、前記各視標のそれぞれに対応する検査内容を示す複数の音声データがそれぞれ対応する前記各視標に結び付けられて記憶されたメモリ部と、前記音声データの音声を出力するための音声出力手段と、前記操作部の操作に基づいて前記視標呈示部及び前記音声出力手段の作動を制御する制御部とを備え、前記制御部は、前記操作部の操作により選択された前記視標に対応する前記検査内容を被検者に説明する旨の指示を受けたとき、選択された前記視標に結び付けられた前記音声データを前記メモリ部から抽出し、抽出した前記音声データの前記検査内容を音声で出力する旨の制御信号を前記音声出力手段に出力することを特徴とする。
【発明の効果】
【００１３】
請求項１に記載の発明によれば、操作部の操作により選択された視標に対応する検査内容を被検者に説明する旨の指示を制御部が受けたとき、操作部の操作により選択された視標に結び付けられた検査データの検査内容を示す画像が、制御部の制御下で視標呈示部に表示される。
【００１４】
このことから、視標呈示部に表示された視標を用いて実行される検査の内容を示す画像を視標呈示部に表示することにより、その検査内容を被検者に呈示することができる。
【００１５】
これにより、検者の熟練度が低く、検者が各視標に対応する検査の種類及びその内容をそれぞれ正確に記憶していない場合でも、実行する検査がどのような内容の検査であるのかの説明を検者が被検者から求められたとき、検査内容画像を視標呈示部に表示することにより、実行される検査内容がどのような内容であるのかを被検者に的確に伝えることができる。
【００１６】
特に、被検者が聴覚に障害があるいわゆる聾唖者である場合のように検者が音声で説明することができない場合でも、視標呈示部に表示された検査内容画像を被検者に呈示することにより、実行される検査内容を被検者に的確に伝えることができる。また、被検者が外国人である場合、視標呈示部に表示される検査内容画像の文字を外国語に設定することにより、実行される検査内容を被検者に的確に伝えることができる。
【００１７】
従って、実行される検査内容を被検者に的確に説明することができないことによって被検者に従来のような不安感を与えてしまうことを、確実に防止することができる。
【００１８】
請求項２に記載の発明によれば、メモリ部は外部記憶装置に設けられており、制御部は、検査データを外部記憶装置から直接又はネットワークを介して抽出することから、例えば複数の検眼装置が設置される場合、外部記憶装置と各検眼装置とをそれぞれ接続することにより、外部記憶装置のメモリ部から各検眼装置にそれぞれ検査データを取り込むことができる。
【００１９】
これにより、各検眼装置のそれぞれにメモリ部を設ける必要はないので、各検眼装置の構造を簡易化することができる。従って、検眼装置の製造に掛かるコストの削減を図ることができる。
【００２０】
請求項３に記載の発明によれば、操作部の操作により選択された視標に対応する検査内容を示す画像が、視標呈示部の表示モードが検査内容モードにおかれた状態で視標呈示部に表示されることから、前記画像を視標と重複することなく単独で視標呈示部に表示させることができる。これにより、視標呈示部に視標と共に前記画像が表示される場合のように被検者の視界に視標が入ることにより被検者に混乱を生じさせたり前記画像を集中して見ることができなくなったりすることを、確実に防止することができる。
【００２１】
請求項４に記載の発明によれば、視標呈示部に表示される検査内容を示す画像が動画像であることから、例えば検査時に被検者が実際に行うべき動作を動画で表すことができる。これにより、視標呈示部に表示される検査内容を被検者に呈示したとき、検査内容を単に文字で表した場合に比べて、実行される検査内容がどのような内容であるのかを被検者により具体的に説明することができる。
【００２２】
請求項５に記載の発明によれば、操作部の操作により選択された視標に対応する検査内容が音声出力手段から音声で出力されることから、視標呈示部に検査内容を表示することにより実行される検査内容を被検者に視覚を通じて伝えることができることに加えて、実行される検査内容を被検者に聴覚を通じて伝えることができる。
【００２３】
請求項６に記載の発明によれば、操作部の操作により選択された視標に対応する検査内容を被検者に説明する旨の指示を制御部が受けたとき、操作部の操作により選択された視標に対応する音声データが示す検査内容が、制御部の制御下で音声出力手段により音声で出力される。
【００２４】
このことから、視標呈示部に表示された視標を用いて実行される検査の内容を示す音声を音声出力手段から出力することにより、その検査内容を被検者に聞かせることができる。
【００２５】
これにより、検者の熟練度が低く、検者が各視標に対応する検査の種類及びその内容をそれぞれ正確に記憶していない場合でも、実行する検査がどのような内容の検査であるのかの説明を検者が被検者から求められたとき、検査内容を示す音声を音声出力手段から出力することにより、実行される検査内容がどのような内容であるのかを被検者に的確に伝えることができる。
【００２６】
従って、実行される検査内容を被検者に的確に説明することができないことによって被検者に従来のような不安感を与えてしまうことを、確実に防止することができる。
【発明を実施するための最良の形態】
【００２７】
本発明を図示の実施例に沿って説明する。
【実施例】
【００２８】
本発明に係る検眼装置１０は、図１に示す例では、各種の視標１１を被検者１２の被検眼に呈示するための視標呈示部１３と、被検眼の視機能を矯正するための矯正装置１４とを備える。
【００２９】
視標呈示部１３は、視標１１が表示される表示画面１５を有する。表示画面１５は、液晶パネルで構成されており、表示画面１５に表示される視標１１は、後述する制御装置１６の操作により選択される。また、視標呈示部１３は、図示の例では、視標１１が表示される視標モードと検査内容が表示される検査内容モードとの間で表示画面１５の表示モードが切り替え可能となるように設定されている。
【００３０】
矯正装置１４は、視標呈示部１３と被検者１２との間に配置された検眼テーブル１７に設けられたアーム１８に取り付けられており、左右方向に並べて配置された一対のフォロプタ１９を備える。
【００３１】
各フォロプタ１９は、それぞれ検眼窓２０が形成されたハウジング１９ａを備える。各ハウジング１９ａ内には、図示しないが従来と同様に、互いに屈折力の異なる複数の矯正レンズが周方向に沿って設けられた環状のレンズディスクが回転可能に収納されている。すなわち、矯正装置１４は、光学素子である前記矯正レンズを被検眼と視標呈示部１３との間に選択的に配置する光学素子配置装置を構成している。前記各矯正レンズは、前記制御装置１６の制御下で前記レンズディスクの回転により各検眼窓２０内に選択的に配置される。
【００３２】
更に、本発明に係る検眼装置１０は、矯正装置１４及び視標呈示部１３の作動を制御するための前記した制御装置１６を備える。
【００３３】
制御装置１６は、図２及び図３に示すように、検者２１（図１参照。）により操作される操作部２２と、該操作部の操作内容及び視標１１を示す操作画像をそれぞれ表示するための表示部２３とを有する。
【００３４】
また、制御装置１６は、操作部２２の操作に基づいて視標呈示部１３、矯正装置１４及び表示部２３の作動を制御する制御回路２４と、表示部２３、視標呈示部１３及び制御回路２４に接続された画像出力部２５と、メモリ部２６とを有する。
【００３５】
メモリ部２６には、図２に示すように、各種の検査に用いられる各種の視標１１を示す視標データ２７と、操作画像を示す操作画像データ２８と、前記各矯正レンズの球面度数、乱視度数及び軸角度等の屈折力を示すレンズデータ２９とがそれぞれ記憶されている。
【００３６】
各視標１１には、それぞれ該各視標を用いて実行される検査の種類が設定されている。すなわち、各検査は、それぞれ該各検査の種類に固有の視標１１を用いて実行される。
【００３７】
更に、メモリ部２６には、各種の検査の内容を示す画像データである複数の検査データ３０が記憶されている。各検査データ３０は、それぞれ対応する各視標データ２７に結び付けられてメモリ部２６に記憶されている。
【００３８】
操作部２２には、図３に示すように、ダイヤル３１等の検査の設定のための各種スイッチが設けられている。ダイヤル３１は、後述する表示画面３２の屈折力表示欄３３に表示される球面度数、乱視度数及び軸角度等の数値を変更するときに回転操作される。
【００３９】
また、操作部２２には、図示の例では、実行する検査内容を被検者１２に説明するときに検査内容を視標呈示部１３の表示画面１５に後述するように表示させるための説明用ボタン３４が設けられている。
【００４０】
表示部２３は、図２及び図３に示すように、操作部２２の前記各スイッチの操作により設定された内容を示す操作画像が表示される前記した表示画面３２を有する。
【００４１】
表示画面３２は、図示の例では、液晶パネルで構成されている。表示画面３２には、図４に示すように、前記矯正レンズの球面度数、乱視度数及び軸角度等の屈折力が表示される前記した屈折力表示欄３３と、視標呈示部１３の表示画面１５に表示される視標１１を示す複数の視標画像３６の一覧が表示される一覧表示欄３５とが設けられている。
【００４２】
また、表示画面３２には、一覧表示欄３５から後述するように選択された視標画像３６に対応する視標１１を検者２１が確認することができるように、選択された視標１１を表示する視標表示欄３７が設けられている。
【００４３】
屈折力表示欄３３、一覧表示欄３５及び視標表示欄３７をそれぞれ示す画像、及び、各視標画像３６は、それぞれメモリ部２６に記憶された操作画像データ２８に含まれている。
【００４４】
また、本実施例では、操作部２２は図示しないタッチパネルを備える。前記タッチパネルは、表示画面３２上に一覧表示欄３５を覆うように配置されている。また、前記タッチパネルは、図示しないが従来よく知られているように、複数の導電膜ストライプが互いに平行に形成され且つ両端部に抵抗膜が設けられた透明のフィルムやガラス等の一対のパネル部材を各導電膜ストライプが互いに直交するように貼り合わせることにより形成されている。前記タッチパネルの表面が押下されたとき、前記各パネル部材に形成された前記各導電膜ストライプが互いに接触することによって電気的に導通することにより前記各抵抗膜に現れる電圧に基づいて、一方の前記パネル部材の複数の前記導電膜ストライプのうちのいずれの前記導電膜ストライプが他方の前記パネル部材の複数の前記導電膜ストライプのうちのいずれの前記導電膜ストライプに接触したことがタッチセンサ３８（図２参照。）により検出される。これにより、前記タッチパネルの押下された位置が特定される。従って、表示画面３２に表示された例えば一覧表示欄３５の各視標画像３６のうち検査に用いる視標１１を示す視標画像３６を表示画面３２上から押下することにより、検査に用いる視標１１を一覧表示欄３５から選択することができる。タッチセンサ３８は、押下された位置を検出すると、該押下位置を示す検出信号を制御回路２４に出力する。
【００４５】
制御回路２４は、図２に示すように、操作部２２及び画像出力部２５に接続された判定部３９と、メモリ部２６及び画像出力部２５に接続された抽出部４０とを備える。
【００４６】
判定部３９は、操作部２２のダイヤル３１が操作されたことを示す操作信号を操作部２２から受け、この操作信号に基づいてダイヤル３１の操作位置を判定し、その操作位置を示す操作位置信号を抽出部４０に出力する。
【００４７】
また、判定部３９は、例えば検眼装置１０の電源がＯＦＦ状態からＯＮ状態に切り替わったときにそのことを判定し、その旨を示す信号を抽出部４０に出力する。
【００４８】
更に、判定部３９は、前記タッチセンサ３８から押下位置を示す検出信号を受け、この検出信号に基づいて選択された視標画像３６がいずれの視標画像３６であるかを判定する。
【００４９】
また、判定部３９は、説明用ボタン３４が操作されたとき、タッチセンサ３８から検出信号を既に受けているか否かを判定する。
【００５０】
抽出部４０は、検眼装置１０の電源がＯＦＦ状態からＯＮ状態に切り替わったときにそのことを示す信号を判定部３９から受けると、メモリ部２６から操作画像データ２８を読み込み、該操作画像データを表示画面３２に表示させる旨の操作画像信号を表示部２３に画像出力部２５を介して出力する。これにより、表示部２３の表示画面３２には、操作画像データ２８に含まれる屈折力表示欄３３、各視標画像３６、一覧表示欄３５及び視標表示欄３７がそれぞれ図４に示すように表示される。
【００５１】
また、抽出部４０は、判定部３９から受けるダイヤル３１の操作位置信号に基づいて操作位置に応じた屈折力を示すレンズデータ２９をメモリ部２６から抽出し、抽出したレンズデータ２９が示す屈折力を有する前記矯正レンズを各フォロプタ１９の検眼窓２０内に配置する旨の制御信号を矯正装置１４に画像出力部２５を介して出力し、更に、操作画像データ２８に含まれる屈折力表示欄３３にレンズデータ２９が示す屈折力を表示する旨の屈折力画像信号を表示部２３に画像出力部２５を介して出力する。これにより、ダイヤル３１の操作により選択された屈折力を有する前記矯正レンズが各フォロプタ１９の検眼窓２０内に配置される。また、屈折力表示欄３３には、図４に示すように、ダイヤル３１の操作により選択された前記矯正レンズの屈折力の値が表示される。
【００５２】
更に、抽出部４０は、判定部３９から受ける信号に基づいて、所定の視標１１に対応する視標データ２７及び検査データ３０をそれぞれメモリ部２６から抽出する。
【００５３】
以下、被検眼の視機能を検査するときの制御回路２４による制御作用を図５のフローチャートに基づいて説明する。
【００５４】
検者２１は、検査に用いる視標画像３６を一覧表示欄３５から選択すべく表示画面３２上を押下する。
【００５５】
制御回路２４は、タッチセンサ３８から押下位置を示す検出信号を判定部３９で受けると、検出信号に示された押下位置に基づいて、一覧表示欄３５から選択された視標画像３６がいずれの視標画像３６であるかを判定部３９で判定し、判定結果を示す信号を抽出部４０に出力する（ステップＳ１）。
【００５６】
制御回路２４は、選択された視標画像３６を示す信号が判定部３９から抽出部４０に出力されると、判定部３９からの信号が示す視標画像３６に対応する視標データ２７をメモリ部２６から抽出部４０で抽出する（ステップＳ２）。
【００５７】
制御回路２４は、抽出した視標１１を表示部２３の視標表示欄３７及び視標呈示部１３の表示画面１５にそれぞれ表示させる旨の視標画像信号を抽出部４０から表示部２３及び視標呈示部１３にそれぞれ画像出力部２５を介して出力する（ステップＳ３）。
【００５８】
これにより、視標表示欄３７及び表示画面１５には、図６（ａ）及び図４に示すように、それぞれ選択された視標１１が表示される。図示の例では、選択された視標１１は、被検眼の近視度又は遠視度を検査するレッドグリーン検査（以下、Ｒ／Ｇ検査と称す。）に用いられるＲ／Ｇ検査用視標１１ａである。Ｒ／Ｇ検査用視標１１ａは、左右に配列された赤色の部分と緑色の部分とを有し、各部分にはそれぞれ文字が付されている。Ｒ／Ｇ検査は、いずれの部分の文字が明確に見えるかを検査することにより、被検眼の近視度又は遠視度を求める検査である。
【００５９】
選択した視標１１すなわちＲ／Ｇ検査用視標１１ａが表示画面１５に表示された状態で、検者２１は、その検査がどのような検査であるかを被検者１２に説明するために、説明用ボタン３４を押下する。
【００６０】
制御回路２４は、視標画像信号を抽出部４０から表示部２３及び視標呈示部１３にそれぞれ出力した後、説明用ボタン３４が押下されたか否かすなわち選択された視標１１に対応する検査内容を被検者１２に説明する旨の指示を受けたか否かを判定部３９で判定する（ステップＳ４）。
【００６１】
制御回路２４は、説明用ボタン３４が押下されていないと判定部３９で判定した場合、ステップＳ４を繰り返し行う。
【００６２】
他方、制御回路２４は、ステップＳ４において、説明用ボタン３４が押下されたと判定部３９で判定した場合は、一覧表示欄３５から視標画像３６が既に選択されたか否かすなわち判定部３９がタッチセンサ３８から検出信号を既に受けたか否かを判定部３９で判断する（ステップＳ５）。
【００６３】
制御回路２４は、タッチセンサ３８から検出信号を既に受けたと判定部３９で判断した場合、説明用ボタン３４が押下されたことを示す信号を判定部３９から抽出部４０に出力する（ステップＳ６）。
【００６４】
他方、制御回路２４は、ステップＳ５において、タッチセンサ３８から検出信号を未だに受けていないと判定部３９で判断した場合は、判定部３９から抽出部４０に信号を出力することなく終了する。
【００６５】
制御回路２４は、説明用ボタン３４が押下されたことを示す信号を抽出部４０が判定部３９から受けると、メモリ部２６に記憶された複数の検査データ３０のうちステップＳ２においてメモリ部２６から抽出した視標データ２７に結び付けられた検査データ３０をメモリ部２６から抽出部４０で抽出し、抽出した検査データ３０が示す検査内容を表示画面１５に表示する旨の制御信号を抽出部４０から視標呈示部１３に画像出力部２５を介して出力する（ステップＳ７）。
【００６６】
このとき、制御回路２４は、検査内容を表示画面１５に表示する旨の制御信号を視標呈示部１３に出力すると同時に、表示画面１５の表示モードを視標１１が表示される視標モードから検査内容が表示される検査内容モードに切り替える旨の制御信号を抽出部４０から視標呈示部１３に画像出力部２５を介して出力する（ステップＳ８）。
【００６７】
これにより、視標呈示部１３の表示画面１５の表示モードが視標モードから検査内容モードに切り替わり、表示画面１５には、図６（ｂ）に示すように、一覧表示欄３５から選択された視標１１を用いて実行される検査内容を示す画像３０ａが表示される。検査内容を示す画像３０ａは、図示の例では、『近視及び遠視を調べる検査です  赤側の文字と緑側の文字とでどちらの文字がはっきり見えるか答えてください』という内容の文章で構成されている。
【００６８】
検者２１は、被検者１２が検査内容を理解したと判断したとき、視標１１を被検者１２に呈示するために、説明用ボタン３４を再度押下する。
【００６９】
制御回路２４は、ステップＳ８において表示画面１５の表示モードを切り替える旨の制御信号を視標呈示部１３に出力した後、説明用ボタン３４が再度押下されたか否かを判定部３９で判定する（ステップＳ９）。
【００７０】
制御回路２４は、説明用ボタン３４が再度押下されていないと判定部３９で判定した場合、ステップＳ９を繰り返し行う。
【００７１】
他方、制御回路２４は、説明用ボタン３４が再度押下されたと判定部３９で判定した場合、表示画面１５の表示モードを検査内容モードから視標モードに切り替える旨の制御信号を抽出部４０から視標呈示部１３に画像出力部２５を介して出力する（ステップＳ１０）。
【００７２】
これにより、視標呈示部１３の表示画面１５の表示モードが視標モードから検査内容モードに切り替わり、表示画面１５には、図６（ａ）に示すように、一覧表示欄３５から選択された視標１１が再度表示される。
【００７３】
被検者１２は、視標呈示部１３の表示画面１５に表示されたＲ／Ｇ検査用視標１１ａを各フォロプタ１９の検眼窓２０内に配置された前記各矯正レンズを通して見て、赤色の部分と緑色の部分とのいずれの部分の文字が明確に見えるか検者２１に応答する。このとき、検者２１は、赤色の部分に付された文字が明確に見えると被検者１２が答えた場合には被検眼は近視であり、緑色の部分に付された文字が明確に見えると被検者１２が答えた場合には被検眼は遠視であると判定することができる。検者２１は、被検者１２の応答に基づいて、各検眼窓２０内に配置する前記矯正レンズをダイヤル３１の操作により切り替える。これにより、被検眼の視機能が矯正されるので、例えば作成すべき眼鏡のレンズの屈折度数を定めることができ、被検眼の視機能の検査が終了する。
【００７４】
上記した例では、Ｒ／Ｇ検査を行う場合を示したが、例えば被検眼の乱視検査を行う場合には、図７（ａ）に示すように、放射線状に配置された複数の線からなる乱視検査用視標１１ｂが視標呈示部１３に表示される。乱視検査は、乱視検査用視標１１ｂを被検眼に呈示し、複数の線のうち最も濃く見える線の伸長方向に基づいて乱視軸を決定する検査である。
【００７５】
この場合、説明用ボタン３４を操作すると、表示画面１５には、例えば図７（ｂ）に示すように、『乱視の検査です  放射状の線を見て濃く見える線があるか答えてください  濃く見える線がある場合には濃く見える方向も答えてください』という内容の文章からなる画像３０ｂが表示される。
【００７６】
本実施例によれば、前記したように、説明用ボタン３４が押下されたとき、操作部２２の前記タッチパネルの操作により選択された視標１１に結び付けられた検査データ３０の検査内容を示す画像が視標呈示部１３の表示画面１５に表示されることから、表示画面１５に表示された視標１１を用いて実行される検査の内容を示す画像を表示画面１５に表示することにより、その検査内容を被検者１２に呈示することができる。
【００７７】
これにより、検者２１の熟練度が低く、検者２１が各視標１１に対応する検査の種類及びその内容をそれぞれ正確に記憶していない場合でも、実行する検査がどのような内容の検査であるのかの説明を検者２１が被検者１２から求められたとき、検査内容画像を表示画面１５に表示することにより、実行される検査内容がどのような内容であるのかを被検者１２に的確に伝えることができる。
【００７８】
特に、被検者１２が聴覚に障害があるいわゆる聾唖者である場合のように検者２１が音声で説明することができない場合でも、視標呈示部１３の表示画面１５に表示された検査内容画像を被検者１２に呈示することにより、実行される検査内容を被検者１２に的確に伝えることができる。また、被検者１２が外国人である場合、表示画面１５に表示される検査内容画像の文字を外国語に設定することにより、実行される検査内容を被検者１２に的確に伝えることができる。
【００７９】
従って、実行される検査内容を被検者１２に的確に説明することができないことによって被検者１２に従来のような不安感を与えてしまうことを、確実に防止することができる。
【００８０】
また、操作部２２の前記タッチパネルの操作により選択された視標１１に対応する検査内容を示す画像３０ａ，３０ｂが、視標呈示部１３の表示画面１５の表示モードが検査内容モードにおかれた状態で該表示画面に表示されることから、前記画像３０ａ，３０ｂを視標１１と重複することなく単独で表示画面１５に表示させることができる。これにより、視標呈示部１３の表示画面１５に視標１１と共に前記画像３０ａ，３０ｂが表示される場合のように被検者１２の視界に視標１１が入ることにより被検者１２に混乱を生じさせたり前記画像３０ａ，３０ｂを集中して見ることができなくなったりすることを、確実に防止することができる。
【００８１】
本実施例では、説明用ボタン３４を押下したときに視標呈示部１３の表示画面１５に検査内容を示す画像を表示することにより、検者２１が被検者１２に検査内容を伝える例を示したが、これに代えて、検査内容を被検者１２に音声で伝えることができる。
【００８２】
この場合、図８に示すように、制御装置１６のメモリ部２６には、検査データ３０に代えて、各種の検査の内容を示す複数の音声データ４１が検査毎に記憶されている。各音声データ４１は、それぞれの検査内容に対応する各視標データ２７に結び付けられてメモリ部２６に記憶されている。また、視標呈示部１３には、図示の例では、音声を出力するための音声出力手段４２が設けられている。音声出力手段４２は、図示の例では、スピーカー４３で構成されている。更に、制御装置１６には、スピーカー４３に接続された音声出力部４４が設けられている。
【００８３】
以下、図８に示す検眼装置１０を用いて被検眼の視機能を検査するときの制御回路２４による制御作用を図９のフローチャートに基づいて説明する。
【００８４】
検者２１は、検査に用いる視標画像３６を一覧表示欄３５から選択すべく表示画面３２上を押下する。
【００８５】
制御回路２４は、タッチセンサ３８から押下位置を示す検出信号を判定部３９で受けると、検出信号に示された押下位置に基づいて、一覧表示欄３５から選択された視標画像３６がいずれの視標画像３６であるかを判定部３９で判定し、判定結果を示す信号を抽出部４０に出力する（ステップＳ１１）。
【００８６】
制御回路２４は、選択された視標画像３６を示す信号が判定部３９から抽出部４０に出力されると、判定部３９からの信号が示す視標画像３６に対応する視標データ２７をメモリ部２６から抽出部４０で抽出する（ステップＳ１２）。
【００８７】
制御回路２４は、抽出した視標１１を表示部２３の視標表示欄３７及び視標呈示部１３の表示画面１５にそれぞれ表示させる旨の視標画像信号を抽出部４０から表示部２３及び視標呈示部１３にそれぞれ画像出力部２５を介して出力する（ステップＳ１３）。
【００８８】
これにより、視標表示欄３７及び表示画面１５には、図６（ａ）及び図４に示すように、それぞれ選択された視標１１が表示される。図示の例では、選択された視標１１は、前記したＲ／Ｇ検査用視標１１ａである。
【００８９】
選択した視標１１が表示画面１５に表示された状態で、検者２１は、その検査がどのような検査であるかを被検者１２に説明するために、説明用ボタン３４を押下する。
【００９０】
制御回路２４は、視標画像信号を抽出部４０から表示部２３及び視標呈示部１３にそれぞれ出力した後、説明用ボタン３４が押下されたか否かを判定部３９で判定する（ステップＳ１４）。
【００９１】
制御回路２４は、説明用ボタン３４が押下されていないと判定部３９で判定した場合、ステップＳ１４を繰り返し行う。
【００９２】
他方、制御回路２４は、説明用ボタン３４が押下されたと判定部３９で判定した場合は、判定部３９がタッチセンサ３８から検出信号を既に受けたか否かを判定部３９で判断する（ステップＳ１５）。
【００９３】
制御回路２４は、タッチセンサ３８から検出信号を既に受けたと判定部３９で判断した場合、説明用ボタン３４が押下されたことを示す信号を判定部３９から抽出部４０に出力する（ステップＳ１６）。
【００９４】
他方、制御回路２４は、ステップＳ１５において、タッチセンサ３８から検出信号を未だに受けていないと判定部３９で判断した場合は、判定部３９から抽出部４０に信号を出力することなく終了する。
【００９５】
制御回路２４は、説明用ボタン３４が押下されたことを示す信号を抽出部４０が判定部３９から受けると、メモリ部２６に記憶された複数の音声データ４１のうちステップＳ１２においてメモリ部２６から抽出した視標データ２７に結び付けられた音声データ４１をメモリ部２６から抽出部４０で抽出し、抽出した音声データ４１が示す検査内容をスピーカー４３から出力する旨の音声出力制御信号を抽出部４０から視標呈示部１３に音声出力部４４を介して出力する（ステップＳ１７）。
【００９６】
これにより、スピーカー４３からは、一覧表示欄３５から選択された視標１１を用いて実行される検査内容が被検者１２に向けて音声で出力される。検査内容を示す音声は、例えば『近視及び遠視を調べる検査です  赤側の文字と緑側の文字とでどちらの文字がはっきり見えるか答えてください』という内容で構成されている。
【００９７】
被検者１２は、前記したと同様に、視標呈示部１３の表示画面１５に表示されたＲ／Ｇ検査用視標１１ａを各フォロプタ１９の検眼窓２０内に配置された前記各矯正レンズを通して見て、赤色の部分と緑色の部分とのいずれの部分の文字が明確に見えるか検者２１に応答する。これにより、検者２１は、被検眼が近視であるか遠視であるかを判定することができ、被検者１２の応答に基づいて前記矯正レンズを切り替えることにより被検眼の視機能を矯正する。これにより、例えば作成すべき眼鏡のレンズの屈折度数を定めることができ、被検眼の視機能の検査が終了する。
【００９８】
例えば図７（ａ）に示すような乱視検査用視標１１ｂを用いて乱視検査を行う場合には、説明用ボタン３４が押下されたとき、スピーカー４３からは、『乱視の検査です  放射状の線を見て濃く見える線があるか答えてください  濃く見える線がある場合には濃く見える方向を答えてください』という音声が出力される。
【００９９】
図８及び図９に示す例によれば、説明用ボタン３４が押下されたとき、操作部２２の前記タッチパネルの操作により選択された視標１１に対応する音声データ４１が示す検査内容がスピーカー４３から出力される。
【０１００】
このことから、視標呈示部１３の表示画面１５に表示された視標１１を用いて実行される検査の内容を示す音声をスピーカー４３から出力することにより、その検査内容を被検者１２に聞かせることができる。
【０１０１】
これにより、検者２１の熟練度が低く、検者２１が各視標１１に対応する検査の種類及びその内容をそれぞれ正確に記憶していない場合でも、実行する検査がどのような内容の検査であるのかの説明を検者２１が被検者１２から求められたとき、検査内容を示す音声をスピーカー４３から出力することにより、実行される検査内容がどのような内容であるのかを被検者１２に的確に伝えることができる。
【０１０２】
従って、実行される検査内容を被検者１２に的確に説明することができないことによって被検者１２に従来のような不安感を与えてしまうことを、確実に防止することができる。
【０１０３】
図１乃至図９に示す例では、説明用ボタン３４を押下したとき、視標呈示部１３の表示画面１５に検査内容を示す画像を表示し、又は、スピーカー４３から音声を出力する例を示したが、これに代えて、説明用ボタン３４を押下したとき、視標呈示部１３の表示画面１５に検査内容を示す画像を表示することに加えて、スピーカー４３から音声を出力することができる。
【０１０４】
この場合、図１０に示すように、制御装置１６のメモリ部２６には、検査データ３０に加えて、各種の検査の内容を示す複数の音声データ４１が検査毎に記憶されている。各音声データ４１は、図８に示したと同様に、それぞれの検査内容に対応する各視標データ２７に結び付けられてメモリ部２６に記憶されている。また、視標呈示部１３には、図示の例では、音声を出力するための音声出力手段４２が設けられている。音声出力手段４２は、図示の例では、スピーカー４３で構成されている。更に、制御装置１６には、スピーカー４３に接続された音声出力部４４が設けられている。
【０１０５】
以下、図１０に示す検眼装置１０を用いて被検眼の視機能を検査するときの制御回路２４による制御作用を図１１のフローチャートに基づいて説明する。
【０１０６】
検者２１は、検査に用いる視標画像３６を一覧表示欄３５から選択すべく表示画面３２上を押下する。
【０１０７】
制御回路２４は、タッチセンサ３８から押下位置を示す検出信号を判定部３９で受けると、検出信号に示された押下位置に基づいて、一覧表示欄３５から選択された視標画像３６がいずれの視標画像３６であるかを判定部３９で判定し、判定結果を示す信号を抽出部４０に出力する（ステップＳ２１）。
【０１０８】
制御回路２４は、選択された視標画像３６を示す信号が判定部３９から抽出部４０に出力されると、判定部３９からの信号が示す視標画像３６に対応する視標データ２７をメモリ部２６から抽出部４０で抽出する（ステップＳ２２）。
【０１０９】
制御回路２４は、抽出した視標１１を表示部２３の視標表示欄３７及び視標呈示部１３の表示画面１５にそれぞれ表示させる旨の視標画像信号を抽出部４０から表示部２３及び視標呈示部１３にそれぞれ画像出力部２５を介して出力する（ステップＳ２３）。
【０１１０】
これにより、視標表示欄３７及び表示画面１５には、図６（ａ）及び図４に示すように、それぞれ選択された視標１１が表示される。図示の例では、選択された視標１１は、前記したＲ／Ｇ検査用視標１１ａである。
【０１１１】
選択した視標１１が表示画面１５に表示された状態で、検者２１は、その検査がどのような検査であるかを被検者１２に説明するために、説明用ボタン３４を押下する。
【０１１２】
制御回路２４は、視標画像信号を抽出部４０から表示部２３及び視標呈示部１３にそれぞれ出力した後、説明用ボタン３４が押下されたか否かを判定部３９で判定する（ステップＳ２４）。
【０１１３】
制御回路２４は、説明用ボタン３４が押下されていないと判定部３９で判定した場合、ステップＳ３４を繰り返し行う。
【０１１４】
他方、制御回路２４は、説明用ボタン３４が押下されたと判定部３９で判定した場合は、判定部３９がタッチセンサ３８から検出信号を既に受けたか否かを判定部３９で判断する（ステップＳ２５）。
【０１１５】
制御回路２４は、タッチセンサ３８から検出信号を既に受けたと判定部３９で判断した場合、説明用ボタン３４が押下されたことを示す信号を判定部３９から抽出部４０に出力する（ステップＳ２６）。
【０１１６】
他方、制御回路２４は、ステップＳ２５において、タッチセンサ３８から検出信号を未だに受けていないと判定部３９で判断した場合は、判定部３９から抽出部４０に信号を出力することなく終了する。
【０１１７】
制御回路２４は、説明用ボタン３４が押下されたことを示す信号を抽出部４０が判定部３９から受けると、抽出部４０は以下の動作を行う（ステップＳ２７）。
【０１１８】
すなわち、抽出部４０は、メモリ部２６に記憶された複数の検査データ３０のうちステップＳ２２においてメモリ部２６から抽出した視標データ２７に結び付けられた検査データ３０をメモリ部２６から抽出部４０で抽出すると共に、メモリ部２６に記憶された複数の音声データ４１のうちステップＳ２２においてメモリ部２６から抽出した視標データ２７に結び付けられた音声データ４１をメモリ部２６から抽出部４０で抽出する。更に、抽出部４０は、抽出した検査データ３０が示す検査内容を表示画面１５に表示する旨の制御信号を視標呈示部１３に画像出力部２５を介して出力すると共に、抽出した音声データ４１が示す検査内容をスピーカー４３から出力する旨の音声出力制御信号を視標呈示部１３に音声出力部４４を介して出力する。
【０１１９】
このとき、抽出部４０は、検査内容を表示画面１５に表示する旨の制御信号を視標呈示部１３に出力すると同時に、表示画面１５の表示モードを前記視標モードから前記検査内容モードに切り替える旨の制御信号を視標呈示部１３に画像出力部２５を介して出力する（ステップＳ２８）。
【０１２０】
これにより、視標呈示部１３の表示画面１５の表示モードが視標モードから検査内容モードに切り替わり、表示画面１５には、図６（ｂ）に示すように、一覧表示欄３５から選択された視標１１を用いて実行される検査内容を示す画像が表示される。また、スピーカー４３からは、一覧表示欄３５から選択された視標１１を用いて実行される検査内容が被検者１２に向けて音声で出力される。スピーカー４３から出力される音声の内容は、表示画面１５に表示された内容と同様の内容に設定されている。
【０１２１】
検者２１は、被検者１２が検査内容を理解したと判断したとき、視標１１を被検者１２に呈示するために、説明用ボタン３４を再度押下する。
【０１２２】
制御回路２４は、ステップＳ２８において表示画面１５の表示モードを切り替える旨の制御信号を視標呈示部１３に出力した後、説明用ボタン３４が再度押下されたか否かを判定部３９で判定する（ステップＳ２９）。
【０１２３】
制御回路２４は、説明用ボタン３４が再度押下されていないと判定部３９で判定した場合、ステップＳ２９を繰り返し行う。
【０１２４】
他方、制御回路２４は、説明用ボタン３４が再度押下されたと判定部３９で判定した場合、表示画面１５の表示モードを検査内容モードから視標モードに切り替える旨の制御信号を抽出部４０から視標呈示部１３に画像出力部２５を介して出力する（ステップＳ３０）。
【０１２５】
これにより、視標呈示部１３の表示画面１５の表示モードが視標モードから検査内容モードに切り替わり、表示画面１５には、図６（ａ）に示すように、一覧表示欄３５から選択された視標１１が再度表示される。
【０１２６】
検者２１は、前記したと同様に、被検者１２からの応答に基づいて被検眼が近視であるか遠視であるかを判定し、被検者１２の応答に基づいて前記矯正レンズを切り替えることにより被検眼の視機能を矯正する。これにより、例えば作成すべき眼鏡のレンズの屈折度数を定めることができ、被検眼の視機能の検査が終了する。
【０１２７】
図１０及び図１１に示す例によれば、被検者１２に検査内容を説明する際、視標時提示部１３の表示画面１５に検査内容が表示されることに加えて、スピーカー４３から検査内容が音声で出力されることから、実行される検査内容を被検者１２に視覚を通じて伝えることができることに加えて、実行される検査内容を被検者１２に聴覚を通じて伝えることができる。これにより、被検者１２に検査内容をより正確に伝えることができる。
【０１２８】
図８乃至図１１に示す例では、音声出力手段４２がスピーカー４３で構成された例を示したが、これに代えて、メモリ部２６に記憶された音声データ４１を音声として出力することができる手段であれば、スピーカー４３以外の手段を本発明に適用することができる。
【０１２９】
図１乃至図７、及び、図１０乃至図１１に示す例では、説明用ボタン３４を押下したときに表示画面１５に表示される検査内容を示す画像３０ａ，３０ｂが文字すなわち静止画で構成された例を示したが、これに代えて、図示しないが、表示画面１５に表示される画像を動画で構成することができる。
【０１３０】
この場合、例えば被検眼のＲ／Ｇ検査を行う場合、説明用ボタン３４を押下すると、例えば、Ｒ／Ｇ検査用視標１１ａの赤色部分に付された文字と緑色部分に付された文字とのうちの一方の文字の色の濃さが濃くなるように変化し、更に、色が濃くなった文字を被検者が指すような動画を表示画面１５に表示することができる。このとき、動画の動きに合わせて音声を出力することができる。
【０１３１】
これによれば、検査時に被検者１２が実際に行うべき動作を動画で表すことができるので、表示画面１５に表示される検査内容を被検者１２に呈示したとき、検査内容を単に文字で表した場合に比べて、実行される検査内容がどのような内容であるのかを被検者により具体的に説明することができる。
【０１３２】
また、図１乃至図７、及び、図１０乃至図１１に示す例では、検査内容を示す画像を被検者１２に呈示した後、表示画面１５の表示モードを前記検査内容モードから前記視標モードに切り替えるとき、説明用ボタン３４を再度押下する例を示したが、これに代えて、図示しないが、検査内容画像を表示画面１５に表示すべく説明用ボタン３４が押されてから所定の時間が経過したときに、表示画面１５の表示モードを前記検査内容モードから前記視標モードに切り替えることができる。
【０１３３】
この場合、説明用ボタン３４が押されたときからの経過時間を計測するための計時手段を例えば制御回路２４に設け、前記計時手段により計測された時間が所定の時間を経過したと判定部３９が判定したとき、該判定部から視標呈示部１３に表示モードを前記検査内容モードから前記視標モードに切り替える旨の制御信号を出力することができる。
【０１３４】
更に、図１乃至図７、及び、図１０乃至図１１に示す例では、説明用ボタン３４が押下されたときに抽出部４０から視標呈示部１３に制御信号が出力されることによって表示画面１５の表示モードが切り替えられる例を示したが、これに代えて、表示画面１５の表示モードを切り替えるための専用のモード切替ボタンを例えば操作部２２に設け、該モード切替ボタンの操作により表示画面１５の表示モードを切り替えることができる。
【０１３５】
図１乃至図１１に示す例では、視標呈示部１３の表示画面１５が、視標１１を表示する視標モードと検査内容が表示される検査内容モードとの二つの表示モードを有する例を示したが、これに代えて、表示モードの切り替えが不能な表示画面を本発明に適用することができる。
【０１３６】
この場合、検査内容を被検者１２に説明する際、表示画面１５に視標１１が表示された状態で、検査内容を示す画像３０ａ，３０ｂを表示画面１５に表示させることができる。また、この場合、検査内容を示す画像３０ａ，３０ｂを表示画面１５に表示させるとき、例えば、画像３０ａ，３０ｂの色の濃度が視標１１の色の濃度よりも高くなるように視標１１の色と画像３０ａ，３０ｂの色との濃度のコントラスト比を変化させることができる。これにより、視標１１と画像３０ａ，３０ｂとが互いに重複して表示画面１５に表示されることによる該画像の見難さを確実に低減することができるので、検査内容を示す画像３０ａ，３０ｂを被検者１２に見易くさせることができる。
【０１３７】
また、図１乃至図１１に示す例では、検査内容を視標呈示部１３の表示画面１５に表示させるための専用の説明用ボタン３４が操作部２２に設けられた例を示したが、これに代えて、例えば視力検査時に検査する視力値を変更するときに操作される視力値変更ボタン４５（図３参照。）のように表示画面１５に検査内容を表示させること以外を目的として操作部２２に設けられた既存のボタンに説明用ボタンとしての機能を担わせることができる。
【０１３８】
この場合、制御回路２４は、視力値変更ボタン４５が押下されたとき、一覧表示欄３５から視標画像３６が既に選択されたか否かすなわち判定部３９がタッチセンサ３８から検出信号を既に受けたか否かを判定部３９で判断する。
【０１３９】
制御回路２４は、タッチセンサ３８から検出信号を既に受けたと判定部３９で判断した場合、視力値変更ボタン４５が押下されたことを示す信号を判定部３９から抽出部４０に出力する。
【０１４０】
他方、制御回路２４は、タッチセンサ３８から検出信号を未だ受けていないと判定部３９で判断した場合は、例えば表示画面１５に表示された視力検査用視標の大きさを変更する旨の制御信号を判定部３９から視標呈示部１３に画像出力部２５を介して出力する。
【０１４１】
また、上記した各実施例において、各種のデータを記憶するためのメモリ部２６を図１２（ａ）及び図１２（ｂ）に示すように、外部記憶装置４６に設けることができる。
【０１４２】
この場合、例えば複数の検眼装置１０が設置されるとき、図１２（ａ）に示すように、外部記憶装置４６を従来よく知られたホストコンピュータで構成し、該ホストコンピュータと各検眼装置１０とをそれぞれＬＡＮケーブル４７を介して接続し、該ＬＡＮケーブルを介して外部記憶装置４６のメモリ部２６から各検眼装置１０に検査データ３０を取り込むことができる。これにより、各検眼装置１０のそれぞれにメモリ部２６を設ける必要はないので、各検眼装置１０の構造を簡易化することができる。従って、検眼装置１０の製造に掛かるコストの削減を図ることができる。
【０１４３】
図１２（ａ）に示した例では、各検眼装置１０と外部記憶装置４６とがＬＡＮケーブル４７を介して接続された例を示したが、これに代えて、各検眼装置１０と外部記憶装置４６とをケーブルを用いることなく無線機を介して接続することができる。
【０１４４】
また、メモリ部２６を前記外部記憶装置に設ける場合、例えば図１２（ｂ）に示すように、検眼装置１０と外部記憶装置４６とを有する複数のネットワーク４８を形成し、各ネットワーク４８をそれぞれ従来よく知られたインターネット４９を介して接続することができる。
【０１４５】
これにより、各ネットワーク４８に配置された検眼装置１０に他のネットワーク４８の外部記憶装置４６からインターネット４９を介して検査データ３０を取り込むことができる。
【０１４６】
従って、各ネットワーク４８の外部記憶装置４６に記憶されていないデータを他のネットワーク４８の外部記憶装置４６から取り込むことができる。
【図面の簡単な説明】
【０１４７】
【図１】本発明に係る検眼装置を概略的に示す斜視図である。
【図２】本発明に係る検眼装置を概略的に示すブロック図である。
【図３】本発明に係る制御装置を概略的に示す斜視図である。
【図４】本発明に係る表示部の表示画面を概略的に示す正面図である。
【図５】被検眼の視機能を検査するときの制御回路による制御作用を示すフローチャートである。
【図６】（ａ）は表示画面にＲ／Ｇ検査用視標が表示された状態を概略的に示す正面図であり、（ｂ）は表示画面にＲ／Ｇ検査の内容を示す画像が表示された状態を概略的に示す正面図である。
【図７】（ａ）は表示画面に乱視検査用視標が表示された状態を概略的に示す正面図であり、（ｂ）は表示画面に乱視検査の内容を示す画像が表示された状態を概略的に示す正面図である。
【図８】図２に示す例とは別の実施例に係る検眼装置を概略的に示すブロック図である。
【図９】図８に示す検眼装置を用いて被検眼の視機能を検査するときの制御回路による制御作用を示すフローチャートである。
【図１０】図２及び図８に示す例とは別の実施例に係る検眼装置を概略的に示すブロック図である。
【図１１】図１０に示す検眼装置を用いて被検眼の視機能を検査するときの制御回路による制御作用を示すフローチャートである。
【図１２】（ａ）は複数の検眼装置が外部記憶装置に接続された状態を概略的に示すブロック図であり、（ｂ）は検眼装置及び外部記憶装置を有する複数のネットワークがルータを介して接続された状態を概略的に示すブロック図である。
【符号の説明】
【０１４８】
１０  検眼装置
１１  視標
１３  視標呈示部
２２  操作部
２４  制御部（制御回路）
２６  メモリ部
３０  検査データ４２  音声出力手段
４１  音声データ
４６  外部記憶装置
４８，４９  ネットワーク
【図１】
2009072285.tif 000003
【図２】
2009072285.tif 000004
【図３】
2009072285.tif 000005
【図５】
2009072285.tif 000006
【図６】
2009072285.tif 000007
【図７】
2009072285.tif 000008
【図８】
2009072285.tif 000009
【図９】
2009072285.tif 000010
【図１０】
2009072285.tif 000011
【図１１】
2009072285.tif 000012
【図１２】
2009072285.tif 000013
【図４】
2009072285.tif 000014